(57)【要約】【課題】セグメント間での光の漏れに伴う視認性の悪化を改善できるとともに、ＬＥＤの非点灯時にセグメント表示器が遊技者に視認され難い見栄えの良いセグメント型ＬＥＤ表示装置を有する遊技機を提供する。【解決手段】本発明の遊技機は、数字を形成する複数のセグメントを伴う光学シート５８を有し、ＬＥＤ５０からの光が対応するセグメントへ個別に導かれてセグメントが選択的に発光表示されるセグメント型ＬＥＤ表示装置９０を備える。ＬＥＤ５０とは反対側の光学シート５８の前方には光の透過を抑えるスモークシート５９が配設される。スモークシート５９の色は、光学シート５８のセグメントを形成するシート部位または光学シート５８のセグメントの周囲領域を形成するシート部位と同じ色または同系色である。【選択図】図４
2020000773.tif 000002
【特許請求の範囲】
【請求項１】
識別子を形成する複数のセグメントを伴う光学シートを有し、ＬＥＤからの光が対応するセグメントへ個別に導かれて前記セグメントが選択的に発光表示されるセグメント型ＬＥＤ表示装置を備える遊技機であって、
前記ＬＥＤとは反対側の前記光学シートの前方には、光の透過を抑える光透過抑制材が配設され、
前記光透過抑制材の色は、前記光学シートの前記セグメントを形成するシート部位または前記光学シートの前記セグメントの周囲領域を形成するシート部位と同じ色または同系色であることを特徴とする遊技機。
【請求項２】
前記光透過抑制材の色は、前記光学シートの前記セグメントの周囲領域を形成するシート部位の色であることを特徴とする請求項１に記載の遊技機。
【請求項３】
セグメントを伴わずにＬＥＤ単体からの光によって発光表示される単体ＬＥＤ表示装置を更に備え、この単体ＬＥＤ表示装置の前方には光の透過を抑える更なる光透過抑制材が配設され、この更なる光透過抑制材の色は、前記単体ＬＥＤ表示装置を構成する前記ＬＥＤの発光色またはそれと同系色であることを特徴とする請求項１または２に記載の遊技機。
【請求項４】
前記光学シートの前方に配設される前記光透過抑制材の色が前記単体ＬＥＤ表示装置の前方に配設される前記更なる光透過抑制材の色と異なることを特徴とする請求項１から３のいずれか一項に記載の遊技機。
【発明の詳細な説明】
【技術分野】
【０００１】
本発明は、遊技機に関し、特に、数字等の識別子を形成するセグメントへ対応するＬＥＤからの光が個別に導かれて前記セグメントが選択的に発光表示されるセグメント型ＬＥＤ表示装置の視認性を改善した遊技機に関する。
【背景技術】
【０００２】
近年のパチンコやスロットマシン等の遊技機においては、様々な遊技情報を遊技者に対して発光態様で知らせるべく様々な形態のＬＥＤから成る発光表示装置が設けられている（例えば、特許文献１および特許文献２参照）。
【０００３】
具体的には、例えば７セグメントＬＥＤ表示装置によって、遊技の結果払い出されるメダルの枚数、エラー内容、所定の遊技状態において所定の役を入賞させるための打順、クレジットされているメダルの枚数、演出に係る数字等を遊技者に知らせるようになっている。また、ＬＥＤ単体の発光の組み合わせによってベットされているメダルの枚数を遊技者に知らせるようになっている。
【先行技術文献】
【特許文献】
【０００４】
【特許文献１】特開２００９−０８２４０１号
【特許文献２】実開平２−０８２３８４号
【発明の概要】
【発明が解決しようとする課題】
【０００５】
ところで、このようなセグメント型のＬＥＤ表示装置はセグメントの数も含めて様々な構造形態のものが存在するが、ＬＥＤを含めた光学要素が一体にユニット化されたものはさておき、ＬＥＤを実装した基板の前方に、ＬＥＤが発した光を対応するセグメントへ個別に導く反射面を形成するセグメント孔を有するリフレクタと、数字を形成するためのセグメントを前記セグメント孔に対応して有する光学シートとが光学経路に沿って順に配列されて成るセグメント型ＬＥＤアセンブリは、それ固有の問題を伴う。
【０００６】
すなわち、このようなセグメント型ＬＥＤアセンブリでは、リフレクタの各セグメント孔に対応してＬＥＤが基板上に実装されるが、各ＬＥＤから延びる配線の足と該ＬＥＤに対応するセグメント孔を形成するリフレクタの仕切り部位とが干渉しないように、リフレクタとＬＥＤ実装基板との間に前記配線足を逃がすための隙間が形成されているため、そのような隙間を通じてＬＥＤの光が漏れて、セグメント表示の発光態様（数字の視認形態）が不明瞭になる（数字の視認性が悪化する）場合がある。具体的には、例えば、点灯するＬＥＤの光が、このＬＥＤに対応するリフレクタのセグメント孔からそれに隣接するセグメント孔へと前記隙間を通じて漏れてしまうと、漏れた光を受けるセグメント孔に対応するＬＥＤが点灯されていないにもかかわらず、そのＬＥＤが点灯しているかのように視認される場合がある（例えば、７セグ数字「９」を「８」に見間違える虞がある）。
【０００７】
また、このようなセグメント型ＬＥＤアセンブリも含めて、一般に、セグメント型のＬＥＤ表示装置では、ＬＥＤの非点灯時に、数字を形成するセグメント（セグメント表示器）が遊技者に視認されてしまい見栄えが悪いという問題もある。
【０００８】
本発明は、前記事情に鑑みてなされたもので、セグメント間での光の漏れに伴う視認性の悪化を改善できるとともに、ＬＥＤの非点灯時にセグメント表示器が遊技者に視認され難い見栄えの良いセグメント型ＬＥＤ表示装置を有する遊技機を提供することを目的とする。
【課題を解決するための手段】
【０００９】
前記目的を達成するために、本発明は、識別子を形成する複数のセグメントを伴う光学シートを有し、ＬＥＤからの光が対応するセグメントへ個別に導かれて前記セグメントが選択的に発光表示されるセグメント型ＬＥＤ表示装置を備える遊技機であって、
前記ＬＥＤとは反対側の前記光学シートの前方には、光の透過を抑える光透過抑制材が配設され、
前記光透過抑制材の色は、前記光学シートの前記セグメントを形成するシート部位または前記光学シートの前記セグメントの周囲領域を形成するシート部位と同じ色または同系色であることを特徴とする。
【００１０】
本発明においては、識別子を形成する複数のセグメントがＬＥＤによって選択的に発光表示される光学シートの前方に光の透過を抑える光透過抑制材が配設されているため、特にセグメント間での光の漏れに伴う視認性の悪化を改善できる。これは、とりわけ、ＬＥＤを実装した基板の前方に、ＬＥＤが発した光を対応するセグメントへ個別に導く反射面を形成するセグメント孔を有するリフレクタと、識別子を形成するためのセグメントを前記セグメント孔に対応して有する光学シートとが光学経路に沿って順に配列されて成るセグメント型ＬＥＤアセンブリにおいて、リフレクタとＬＥＤ実装基板との間の隙間を通じてセグメント間でＬＥＤの光が漏れる場合であっても、その漏れる光が光透過抑制材の存在によって遊技者により視認し難くなるため、セグメント表示の発光態様（数字の視認形態）が漏れ光によって不明瞭になる（識別子の視認性が悪化する）ことを効果的に防止できる。  
なお、上記構成において、「識別子」とは、数字や英字等の文字、記号、符号、図形など、様々な他の対象から識別（または同定）できる特定の対象形態をいう。
【００１１】
また、本発明においては、光学シートの前方に配設される光透過抑制材の色が、光学シートのセグメントを形成するシート部位または光学シートのセグメントの周囲領域を形成するシート部位と同じ色または同系色であるため、光の漏れに伴う視認性の悪化を更に改善できることは勿論のこと、このような光学シートの色と光透過抑制材の色との組み合わせ（配色）により、ＬＥＤの非点灯時に、数字を形成するセグメント（セグメント表示器）が遊技者に視認され難くなり、見栄えが良くなる。
【００１２】
なお、上記構成において、「光透過抑制材」は、光の透過を抑える（光の透過率を下げる）ことができればよく、例えば透光性を有する透明度が低い樹脂製のシート（スモークシートなど）であってもよい。また、上記構成において、「光学シート」は、セグメントの選択的な発光表示を可能にする光学的作用を伴うシートであれば、どのようなものであっても構わない。更に、上記構成において、「同色系」とは、比較される２つの色に関し、明度もしくは彩度だけが異なる色の組み合わせ、トーンは異なるが同じ色相の色の組み合わせ、および、トーンは同じで、色相上隣り合う色（隣接色）の組み合わせのいずれかを言うものとする。
【００１３】
また、上記構成において、光透過抑制材の色は、光学シートのセグメントの周囲領域を形成するシート部位の色であることが好ましい。これによれば、前述したようにＬＥＤの非点灯時の見栄えの良さは勿論のこと、光学シートで視認され得るセグメント間での漏れ光をセグメントの周囲領域で同じ色の光透過抑制材によって視認し難くできるため、セグメント間での光の漏れに伴う視認性の悪化を飛躍的に改善できる。このようなシート間の色の組み合わせは、漏れ光を殆ど伴わないことからある程度輝度を高めたい前述のユニット化されたセグメント型ＬＥＤ表示装置よりもむしろ、漏れ光を伴うことから光透過抑制を優先させたい前述のセグメント型ＬＥＤアセンブリにおいて特に好適である。
【００１４】
一方、ＬＥＤの点灯時と非点灯時とで明度の差を明確にさせて数字の視認性を向上させたい場合には、光透過抑制材の色を光学シートのセグメントを形成するシート部位と同じ色または同系色にすることが好ましい。このようなシート間の色の組み合わせは、漏れ光を伴うことから光透過抑制を優先させたい前述のセグメント型ＬＥＤアセンブリよりもむしろ、漏れ光を殆ど伴わないことからある程度輝度を高めたい前述のユニット化されたセグメント型ＬＥＤ表示装置において特に好適である。いずれにしても、シート間の色の組み合わせが同じ色または同系色であれば、ＬＥＤの非点灯時に、数字を形成するセグメント（セグメント表示器）が遊技者に視認され難くなり、見栄えが良くなるとともに、セグメント間での光の漏れに伴う視認性の悪化を改善できる。
【００１５】
また、上記構成において、光透過抑制材の配設位置は、光学シートに対してＬＥＤと反対側（光学シートの前方）であればどのような位置であっても構わないが、漏れ光の視認性を低下させる光透過抑制効果を効果的に発揮させるべくＬＥＤとの距離を適切に設定することが重要である。また、光透過抑制材は、遊技機の既存のパネルまたは光学シートなどの既存の要素に対して接着等により固着されてもよいが、別体として交換可能に設けられることが好ましい。これによれば、ＬＥＤの交換、ＬＥＤの発光色の変更などに合わせて光透過抑制材を容易に交換でるため、遊技機の機種変更等にうまく対応でき有益である。
【００１６】
また、上記構成の遊技機では、セグメントを伴わずにＬＥＤ単体からの光によって発光表示される単体ＬＥＤ表示装置が更に設けられてもよく、そのような場合にも、この単体ＬＥＤ表示装置の前方に光の透過を抑える更なる光透過抑制材が配設されることが好ましい。その場合、この更なる光透過抑制材の色は、単体ＬＥＤ表示装置を構成するＬＥＤの発光色またはそれと同系色であることが好ましい。これは、セグメント領域およびその周辺領域を伴わないこのような単体ＬＥＤ表示装置では、ＬＥＤの点灯時および非点灯時の視認形態を明確に差別化できることが重要であるからであり、したがって、更なる光透過抑制材の色を単体ＬＥＤ表示装置を構成するＬＥＤの発光色またはそれと同系色とすれば、光透過抑制効果も維持しつつＬＥＤ点灯時の発光形態を明確に遊技者に印象付けることも可能になる。
【００１７】
また、単体ＬＥＤ表示装置の前方に配設される更なる光透過抑制材の色は、光学シートの前方に配設される光透過抑制材の色と異なることが好ましい。これは、特に、セグメント型ＬＥＤ表示装置と単体ＬＥＤ表示装置とが並んで配置される場合に、表示機能に応じた発光形態に特異性をもたせて表示装置を差別化しつつ、それぞれの表示装置に適した光透過抑制効果を実現できるという点で有益である。
【００１８】
また、単体ＬＥＤ表示装置の前方に配設される更なる光透過抑制材およびセグメント型ＬＥＤ表示装置の光学シートの前方に配設される光透過抑制材が一体のシートとして形成されていてもよい。この場合、各光透過抑制材は、既存のパネルなどにおいて光透過抑制領域としてそれぞれ設けられても構わない。
【発明の効果】
【００１９】
本発明の遊技機によれば、識別子を形成する複数のセグメントがＬＥＤによって選択的に発光表示される光学シートの前方に光の透過を抑える光透過抑制材が配設されているため、特にセグメント間での光の漏れに伴う視認性の悪化を改善できる。また、光学シートの前方に配設される光透過抑制材の色が、光学シートのセグメントを形成するシート部位または光学シートのセグメントの周囲領域を形成するシート部位と同じ色または同系色であるため、光の漏れに伴う視認性の悪化を更に改善できることは勿論のこと、このようシート間の色との組み合わせにより、ＬＥＤの非点灯時に、数字を形成するセグメントが遊技者に視認され難くなり、見栄えが良くなる。
【図面の簡単な説明】
【００２０】
【図１】本発明の一実施の形態に係る遊技機の一例を示す全体斜視図である。
【図２】図１の遊技機の照明装置の概略構成を示す分解斜視図である。
【図３】図２の照明装置を構成する報知装置の分解斜視図である。
【図４】７セグメント型ＬＥＤアセンブリの各構成要素の配置形態を概念的に示す概略断面図である。
【図５】７セグメント型ＬＥＤユニットの各構成要素の配置形態を概念的に示す概略断面図である。
【図６】単体ＬＥＤ表示装置の各構成要素の配置形態を概念的に示す概略断面図である。
【発明を実施するための形態】
【００２１】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００２２】
まず、発明が適用されるスロットマシンＸの概略構成について説明する。
図１はスロットマシンＸを示す斜視図である。このスロットマシンＸは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００２３】
また、筐体１の正面には、筐体１の正面開口部を開閉可能に閉塞する前扉３が設けられている。
筐体１内には、図示は省略するが、リールユニットや基板ユニット等が設けられている。リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＸの遊技を制御するための遊技制御装置として機能する。
【００２４】
図１に示すように、前扉３の上部中央には、平板状のパネル４が設けられている。また、パネル４は、その中央部に形成された透明な表示窓５と、表示窓５を囲うように形成され、絵柄が描かれた（印刷された）意匠部６とを備えている。
【００２５】
表示窓５の奥には、３個の前記回転リールが横一列に設けられている。そして、表示窓５を通して回転リールの一部が視認可能となっている。各回転リールの外周面には複数種類の図柄が配列されており、回転リールが停止すると表示窓５を通して１リール当たり３個の図柄が表示される。そして、３個の回転リールが停止したときに表示窓５を通して表示される図柄の組み合わせによって当選役が入賞したか否かが表示される。
【００２６】
意匠部６の背面側には、照明用の光源（ＬＥＤ）が設けられており、この光源からの光によって意匠部６に描かれた絵柄が背後から照らされるようになっている。また、前扉３のパネル４の上部には、報知や演出などを行うための照明装置７が設けられている。また、前扉３の左右両端部には、報知や演出などを行うための照明装置８，８が設けられている。
【００２７】
また、前扉３は、筐体１にヒンジを介して回動可能に連結されることで、筐体１の開口部を開閉するようになっている。
なお、前扉３は、上側部分と下側部分とで分かれている等、複数の扉に分かれているものであってもよい。また、スロットマシンＸは、遊技店における機種の交換時に筐体１、前扉３の下側部分および筐体１内の電源ユニットやホッパーユニット等が遊技店の島設備に取り付けられたままで、前扉３の上側部分およびリールユニット等が交換可能ないわゆる分離型筐体タイプのものであってもよい。
【００２８】
また、前扉３の上下方向中央部には、スロットマシンＸを操作するための操作部１０が設けられている。また、操作部１０には、クレジットされたメダルを払い出すための精算スイッチ１１、１枚のメダルをゲームに投資するときに操作される１ベットスイッチボタン１２、３枚（最大数）のメダルをゲームに投資するときに操作されるＭＡＸベットスイッチボタン１３、ゲームを開始させるためのスタートレバー１４、回転リールの回転を停止させるためのストップスイッチボタン１５、メダルを投入するためのメダル投入口１６、メダル投入口１６の下方のメダル通路内で発生したメダル詰まりを解消するリジェクトボタン等が設けられている。
【００２９】
ＭＡＸベットスイッチボタン１３は、上方を向くように配置されており、上方から下方に向かって押し込まれるように形成されている。ＭＡＸベットスイッチボタン１３を動作させるために必要な力（以下、操作力という）は、約１．０Ｎとなっている。また、ＭＡＸベットスイッチボタン１３は、押圧部と弾性部材とを備えている。押圧部は、遊技者の指等によって押し込み操作される部材であり、樹脂等で形成されている。また、押圧部は、弾性部材によって上方に付勢されている。弾性部材は、押圧部を付勢するとともに、押圧部が押し込み操作された場合には付勢力に抗して弾性変形するように形成されている部材であり、ばね等が用いられている。
【００３０】
また、ストップスイッチボタン１５は、前方を向くように配置されており、前方から後方に向かって押し込まれるように形成されている。ストップスイッチボタン１５の操作力は、約０．７Ｎとなっている。すなわち、ストップスイッチボタン１５の操作力は、ＭＡＸベットスイッチボタン１３の操作力よりも小さくなっている。
また、ストップスイッチボタン１５は、ＭＡＸベットスイッチボタン１３と同様に、押圧部と弾性部材とを備えており、ストップスイッチボタン１５は、弾性部材によって前方に付勢されている。
【００３１】
また、既述のとおり、ＭＡＸベットスイッチボタン１３の操作力は約１．０Ｎとなっている。すなわち、押圧部を押し込んで弾性部材を弾性変形させ、ＭＡＸベットスイッチボタン１３が備えるセンサからスイッチＯＮ信号（ボタンが押された旨の信号）が出力される位置まで押圧部を移動させるのに必要な荷重（センサ検知荷重）が約１．０Ｎとなっている。本実施の形態のスロットマシンＸにおいては、センサには、フォトセンサが用いられているが、押圧部の押し込みを検知できるものであればその他のセンサを用いてもよい。フォトセンサは、例えば、押圧部の押し込みによって動く検出物体によって、発光素子から受光素子に向かう光が変化したことを検知すると、スイッチＯＮ信号を出力するようになっている。押圧部は、センサ検知荷重より大きな荷重が加えられると、弾性部材を弾性変形させながらさらに移動し、メカストッパーに当接して停止するようになっている。ストップスイッチボタン１５（操作力約０．７Ｎ）についても同様である。
【００３２】
ここで、本実施の形態のスロットマシンＸにおける基本的な遊技の流れを説明する。遊技者がＭＡＸベットスイッチボタン１３を押下すると、クレジットされたメダルが投入（ベット）され、遊技を開始することが可能な状態となる。そして、遊技者が遊技を開始する操作としてスタートレバー１４を押下する操作を行うと、回転リールが回転を始め、回転リールの回転速度が所定の速度まで上昇するとストップスイッチボタン１５の押下操作が有効な状態となる。その後、遊技者が任意のタイミングでストップスイッチボタン１５を押下していくと、各回転リールが停止する。そして、すべての回転リールが停止すると、遊技の結果に応じて、メダルを払い出す処理や、メダルを新たに消費することなく再度遊技を開始可能な状態とする処理等が行なわれ、１回の遊技が終了する。
【００３３】
上記から明らかなように、ストップスイッチボタン１５は、遊技毎に回転リールの数に応じた複数個押下する必要がある。このとき、ストップスイッチボタン１５の操作力が、ＭＡＸベットスイッチボタン１３の操作力よりも小さく設定されていることにより、遊技者は、ストップスイッチボタン１５の操作に関して軽くて心地よい操作フィーリングを得ることができるとともに、テンポよくすべてのストップスイッチボタン１５を押下することが可能となる。したがって、遊技者は快適に遊技を行うことが可能となり、遊技性が向上する。また、このように使用頻度の高いストップスイッチボタン１５の操作力が小さく設定されていることにより、遊技者の疲労の蓄積が軽減され、遊技性が向上する。
【００３４】
また、ＭＡＸベットスイッチボタン１３は、遊技を開始するための操作に用いられることや、上から叩くようにして操作することが可能であることから、強い力で操作されることも多いが、ストップスイッチボタン１５よりも操作力が大きく設定されていることにより、遊技者は適度に押しごたえのある操作フィーリングを得ることができ、遊技性が向上する。
【００３５】
また、前扉３の下端部には、スロットマシン内部よりメダルを排出するためのメダル払い出し口と、メダル払い出し口から排出されたメダルを溜めておくためのメダル受け皿１８とが形成されている。また、操作部１０とメダル受け皿１８との間にはスロットマシンＸの外観を装飾するための下パネル２０が設けられている。また、下パネル２０の背面側には、照明用の光源（ＬＥＤ）が設けられており、この光源からの光によって下パネル２０が背後から照らされるようになっている。
【００３６】
前扉３の上部中央に設けられた前述のパネル４は、図２に示すように、スロットマシンＸの更なる照明装置６０の一部を構成している。具体的には、照明装置６０は、パネル４と、照明基板６１，６２，６３と、遊技情報を光学的に報知するための報知装置８０と、照明基板６１，６２，６３からの光がパネル４に向かうように光を反射するリフレクタ６５とを少なくとも備える。
【００３７】
照明基板６１は、左右に長尺な略長方形板状を成しており、その表面（前面）には光源として複数のＬＥＤ７０が設けられている。また、照明基板６２および照明基板６３は、上下に長尺な略長方形板状をしており、その表面（前面）には、光源として複数のＬＥＤ７０が設けられている。なお、照明基板６１，６２，６３の裏面（後面）には、照明基板６１，６２，６３に電源を送るための配線や、ＬＥＤ７０を制御（点灯、消灯、点滅等）するための制御信号を送るための配線が接続される図示しないコネクタが設けられている。
【００３８】
遊技情報を光学的に報知するための報知装置８０は、パネル４の意匠部６の下辺部の後方に設けられており、図３に示すように、メイン表示左基板３１と、メイン表示右基板３２と、リフレクタ部材３３と、サブ表示基板３４とを有する。この場合、メイン表示基板３１，３２はメイン制御基板によってその表示が制御され、一方、サブ表示基板３４は、サブ制御基板によってその表示が制御され、演出に係る数字等を表示するものである。
【００３９】
ここで、メイン制御基板とは、スロットマシンＸの基本動作を司る基板をいい、メイン制御基板では、ベットスイッチボタン１２，１３、スタートレバー１４、ストップスイッチボタン１５等の入力手段（演出用のボタンを除く）からの入力信号を受けて、遊技を実行するための各種の演算を行ない、演算結果に基づいてリールユニットやホッパーユニット等の制御を行なう。これに対し、メイン制御基板から送られてくる信号を受けて、演出を実行するための各種の演算を行ない、演算結果に基づいて液晶ディスプレイおよびスピーカ等の演出用の装置の制御を行なう基板をサブ制御基板という。
【００４０】
図３に示すように、メイン表示左基板３１は、ＬＥＤを含めた光学要素が一体にユニット化された２つのセグメント型ＬＥＤ表示装置３５，３６（７セグメントＬＥＤ）と、３つの単体ＬＥＤ３７，３８，３９とを備える。この場合、メイン表示左基板３１は、これら２つのセグメント型ＬＥＤ表示装置３５，３６によって、遊技の結果払い出されるメダルの枚数や、エラー内容や、所定の状態（例えば、いわゆるアシストタイム状態）において所定の役を入賞させるための打順等を遊技者に知らせるようになっている。また、メイン表示左基板３１は、３つの単体ＬＥＤ３７〜３９によって、ベットされているメダルの枚数を遊技者に知らせるようになっている。なお、単体ＬＥＤ３７〜３９の近傍には、他の複数（本実施の形態では５つ）の単体ＬＥＤ９０も設けられる。
【００４１】
メイン表示右基板３２は、ＬＥＤを含めた光学要素が一体にユニット化された２つのセグメント型ＬＥＤ表示装置４１，４２（７セグメントＬＥＤ）と、３つの単体ＬＥＤ４３，４４，４５とを備える。この場合、メイン表示右基板３２は、これら２つのセグメント型ＬＥＤ表示装置４１，４２によって、クレジットされているメダルの枚数を遊技者に知らせるようになっている。また、メイン表示右基板３２は、単体ＬＥＤ４３〜４５によって、スタートレバー１４が有効な状態となっているか否か（スタートレバー１４の操作により遊技が開始可能な状態となっているか）、メダルの投入が有効な状態となっているか否か、リプレイ役の入賞により再遊技可能な状態となっているか否かを遊技者に知らせるようになっている。
なお、セグメント型ＬＥＤ表示装置３５，３６，４１，４２や、単体ＬＥＤ３７〜３９，４３〜４５が示す情報は上記のものに限られない。
【００４２】
リフレクタ部材３３は、メイン表示左基板３１、メイン表示右基板３２およびサブ表示基板３４を前面側から覆うカバー部材として機能している。具体的には、リフレクタ部材３３は、サブ表示基板３４を前面側から覆うように位置されて複数のセグメント孔５２を有する柱状リフレクタ３３Ａと、この柱状リフレクタ３３Ａの左右両側に位置されてメイン表示左基板３１およびメイン表示右基板３２のセグメント型ＬＥＤ表示装置３５，３６，４１，４２を露出させる開口４８Ａ，４８Ａと、開口４８Ａ，４８Ａと並んで柱状リフレクタ３３Ａとは反対の側に位置されてメイン表示左基板３１およびメイン表示右基板３２の単体ＬＥＤ３７〜３９，４３〜４５を露出させる複数の開口４８Ｂとを有する。したがって、これらの開口４８Ａ，４８Ｂから露出したセグメント型ＬＥＤ表示装置３５，３６，４１，４２や単体ＬＥＤ３７〜３９，４３〜４５等からの光は、パネル４の意匠部６を介して遊技者に届くようになる。なお、意匠部６には、これらのセグメント型ＬＥＤ表示装置３５，３６，４１，４２や、単体ＬＥＤ３７〜３９，４３〜４５の点消灯が何を示すものか分かるようにする文字が描かれている。
【００４３】
図４〜図６には、これらのセグメントＬＥＤおよび単体ＬＥＤによって構成される各種の表示装置の各構成要素の配置形態が概念的に示される。  
図４は、サブ表示基板３４をベースに構成されるセグメント型ＬＥＤ表示装置としての７セグメント型ＬＥＤアセンブリ９０を示す。図示のように、この７セグメント型ＬＥＤアセンブリ９０は、例えばフルカラーのＬＥＤ５０が実装されたサブ表示基板３４の前方に、ＬＥＤ５０が発した光を個別に導く反射面を形成するセグメント孔５２を有する柱状のリフレクタ３３Ａと、識別子としての例えば数字を形成するためのセグメント５５（図３参照）をセグメント孔５２に対応して有する光学シート５８とが光学経路に沿って順に配列されて成る。サブ表示基板３４上にはリフレクタ３３Ａの各セグメント孔５２に対応して前述のＬＥＤ５０が実装されており、サブ制御基板により制御されて選択的に発光されるＬＥＤ５０からの光は、光学シート５８の対応するセグメント５５へ向けて、リフレクタ３３Ａの対応するセグメント孔５２を通じて個別に導かれる。
【００４４】
また、この７セグメント型ＬＥＤアセンブリ９０では、各ＬＥＤ５０から延びる配線の足５０ａと該ＬＥＤ５０に対応するセグメント孔５２を形成するリフレクタ３３Ａの仕切り部位３３Ａａとが干渉しないように、リフレクタ３３Ａとサブ表示基板３４との間に配線足５０ａを逃がすための隙間ｃが形成されている。なお、この隙間ｃの幅は、リフレクタ３３Ａからの光の漏れを抑えるためにＬＥＤ５０の高さよりも小さくなっている。
【００４５】
また、光学シート５８は、図３に明確に示されるように、３桁の数字を横方向に並んで表示するべく、それぞれの桁の数字ごとに７つのセグメント５５を伴なっており、リフレクタ部材３３のリフレクタ３３Ａの部位に対応する前面に配設される。また、光学シート５８の前面、すなわち、ＬＥＤ５０とは反対側の光学シート５８の前方には、光の透過を抑える光透過抑制材としてのスモークシート５９が配設される。特に本実施の形態では、スモークシート５９が前述したパネル４と光学シート５８との間に介挿される。
【００４６】
なお、このようなスモークシート５９（後述するスモークシート５６，５７も同様）は、光の透過を抑える（光の透過率を下げる）ことができればよく、例えば透光性を有する透明度が低い樹脂製のシートから形成される。また、スモークシート５９を前面で受ける光学シート５８は、セグメント５５の選択的な発光表示を可能にする光学的作用を伴うシートであれば、どのようなものであっても構わない。
【００４７】
図５は、メイン表示左基板３１およびメイン表示右基板３２をベースに構成されるセグメント型ＬＥＤ表示装置としての７セグメント型ＬＥＤユニット９２を示す。図示のように、この７セグメント型ＬＥＤユニット９２は、ＬＥＤを含めた光学要素が一体にユニット化されたものであり、例えば赤色に発光するＬＥＤを組み込んで成るユニット本体Ｕと、ユニット本体Ｕの前面に一体に付設された光学シート（例えば拡散シート）Ｓとを有する。また、光学シートＳの前面、すなわち、前記赤色ＬＥＤとは反対側の光学シートＳの前方（例えばリフレクタ部材３３の開口４８Ａの前面）には、光の透過を抑える光透過抑制材としてのスモークシート５７が配設される。特に本実施の形態では、スモークシート５７が前述したパネル４と光学シートＳとの間に介挿される。
【００４８】
なお、７セグメント型ＬＥＤアセンブリ９０および７セグメント型ＬＥＤユニット９２のスモークシート５７，５９の配設位置は、光学シート５８，Ｓに対してＬＥＤと反対側（光学シート５８，Ｓの前方）であればどのような位置であっても構わないが、漏れ光の視認性を低下させるスモーク効果（光透過抑制効果）を効果的に発揮させるべくＬＥＤとの距離を適切に設定することが重要である。また、スモークシート５７，５９は、パネル４または光学シート５８，Ｓに対して接着等により固着されてもよいが、別体として交換可能（取り外し可能）に設けられることが好ましい。これによれば、ＬＥＤの交換、ＬＥＤの発光色の変更などに合わせてスモークシートを容易に交換でるため、スロットマシンＸの機種変更等にうまく対応でき有益である。
【００４９】
図６は、メイン表示左基板３１およびメイン表示右基板３２をベースに構成される単体ＬＥＤ表示装置９４を示す。図示のように、この単体ＬＥＤ表示装置９４は、セグメントを伴わずに例えば赤色で発光する単体のＬＥＤ３７〜３９，４３〜４５からの光によって発光表示されるものであり、この単体ＬＥＤ表示装置９４においても、リフレクタ部材３３の開口４８Ｂの前面に位置して、光の透過を抑える光透過抑制材としてのスモークシート５６が配設される。なお、単体ＬＥＤ３７〜３９の近傍に設けれる前述した単体ＬＥＤ９０に関しても、単体ＬＥＤ３７〜３９と同様の構成形態を成すことができる。すなわち、単体ＬＥＤ９０を露出させるリフレクタ部材３３の開口９２の前面に位置して、光の透過を抑える光透過抑制材としてのスモークシート（図示せず）が配設されてもよい。
【００５０】
以上説明してきたスモークシート５６，５７，５９は、それぞれ別個に形成されて配設されてもよいが、一体のシートとして形成されてもよく、あるいは、パネル４の意匠部６などにおいてスモークシート領域（光透過抑制領域）としてそれぞれ設けられても構わない。この場合、パネル４のスモークシート領域（光透過抑制領域）は、パネル４に対する印刷によって形成されてもよく、あるいは、パネル４自体の材質（光透過抑制作用のある材質）によって形成されてもよい。
【００５１】
また、本実施の形態は、前記セグメント間での光の漏れ（特に７セグメント型ＬＥＤアセンブリ９０の隙間ｃを通じた光の漏れ）に伴う視認性の悪化を改善して、ＬＥＤの非点灯時にセグメント表示器が遊技者に視認され難い見栄えの良いセグメント型ＬＥＤ表示装置を提供するべく、光学シート５８，Ｓとスモークシート５６，５７，５９との間の色の組み合わせに特徴と有する。
【００５２】
すなわち、本実施の形態において、７セグメント型ＬＥＤアセンブリ９０のスモークシート５９の色は、光学シート５８のセグメント５５を形成するシート部位５８Ａ（図３参照）または光学シート５８のセグメント５５の周囲領域を形成するシート部位５８Ｂ（図３参照）と同じ色または同系色に設定される。また、同様に、７セグメント型ＬＥＤユニット９２のスモークシート５７の色も、光学シートＳのセグメントを形成するシート部位Ｓ１または光学シートＳのセグメントの周囲領域を形成するシート部位Ｓ２と同じ色または同系色に設定される。具体的には、本実施の形態では、７セグメント型ＬＥＤアセンブリ９０において、例えば、光学シート５８のセグメント５５を形成するシート部位５８Ａの色が白色に設定されるとともに、光学シート５８のセグメント５５の周囲領域を形成するシート部位５８Ｂの色が黒色に設定されるため、スモークシート５９の色が例えば黒色（セグメント５５の周囲領域を形成するシート部位５８Ｂの色と同じ色）に設定される。また、７セグメント型ＬＥＤユニット９２においては、例えば、光学シートＳのセグメントを形成するシート部位Ｓ１の色が赤色に設定されるとともに、光学シートＳのセグメントの周囲領域を形成するシート部位Ｓ２の色が黒色に設定されるため、スモークシート５７の色が例えば赤色（セグメントを形成するシート部位Ｓ１の色と同じ色）に設定される。
【００５３】
また、これに加えて、本実施の形態では、単体ＬＥＤ表示装置９４のスモークシート５６の色が、単体ＬＥＤ表示装置９４を構成するＬＥＤ３７〜３９，４３〜４５の発光色またはそれと同系色に設定される。具体的には、例えば、本実施の形態幾では、スモークシート５６の色が赤色に設定される（光学シート５８，Ｓの前方に配設されるスモークシート５９，５７の色と異なっている）。しかしながら、ＬＥＤ３７〜３９，４３〜４５の点灯時の視認性を高めるために、スモークシート５６の色が例えば白色に設定されてもよい。なお、単体ＬＥＤ３７〜３９の近傍に設けれる前述した単体ＬＥＤ９０に関しても、同様の色の組み合わせが設定されてもよい。すなわち、リフレクタ部材３３の開口９２の前面に設けられる前述したスモークシートの色が、ＬＥＤ９０の発光色またはそれと同系色に設定される。
【００５４】
以上説明したように、本実施の形態によれば、数字を形成する複数のセグメントがＬＥＤによって選択的に発光表示される光学シート５８（Ｓ）の前方に光の透過を抑えるスモークシート５９（５７）が配設されているため、特にセグメント間での光の漏れに伴う視認性の悪化を改善できる。これは、とりわけ、ＬＥＤ５０を実装した基板３４の前方に、ＬＥＤ５０が発した光を対応するセグメント５５へ個別に導く反射面を形成するセグメント孔５２を有するリフレクタ３３Ａと、数字を形成するためのセグメント５５をセグメント孔５２に対応して有する光学シート５８とが光学経路に沿って順に配列されて成る７セグメント型ＬＥＤアセンブリ９０において、リフレクタ３３ＡとＬＥＤ実装基板３４との間の隙間ｃを通じてセグメント間でＬＥＤ５０の光が漏れる場合であっても、その漏れる光がスモークシート５９の存在によって遊技者により視認し難くなるため、セグメント表示の発光態様（数字の視認形態）が漏れ光によって不明瞭になる（数字の視認性が悪化する）ことを効果的に防止できる。
【００５５】
また、本実施の形態によれば、光学シート５８（Ｓ）の前方に配設されるスモークシート５９（５７）の色が、光学シート５８（Ｓ）のセグメントを形成するシート部位５８Ａ（Ｓ１）または光学シート５８（Ｓ）のセグメントの周囲領域を形成するシート部位５８Ｂ（Ｓ２）と同じ色または同系色であるため、光の漏れに伴う視認性の悪化を更に改善できることは勿論のこと、このような光学シート５８（Ｓ）の色とスモークシート５９（５７）の色との組み合わせ（配色）により、ＬＥＤの非点灯時に、数字を形成するセグメント（セグメント表示器）が遊技者に視認され難くなり、見栄えが良くなる。
【００５６】
特に、本実施の形態では、漏れ光を伴うことから光透過抑制を優先させたい７セグメント型ＬＥＤアセンブリ９０において、スモークシート５９の色を光学シート５８のセグメント５５の周囲領域を形成するシート部位５８Ｂの色に設定していることから、前述したようにＬＥＤの非点灯時の見栄えの良さは勿論のこと、光学シート５８で視認され得るセグメント５５間での漏れ光をセグメント５５の周囲領域で同じ色のスモークシート５９によって視認し難くできるため、セグメント５５間での光の漏れに伴う視認性の悪化を飛躍的に改善できる。これに対し、漏れ光を殆ど伴わないことからある程度輝度を高めたい７セグメント型ＬＥＤユニット９２では、スモークシート５７の色を光学シートＳのセグメントを形成するシート部位Ｓ１と同じ色に設定しているため、ＬＥＤの点灯時と非点灯時とで明度の差を明確にさせて数字の視認性をより向上させることができる。
【００５７】
また、本実施の形態によれば、単体ＬＥＤ表示装置９４のスモークシート５６の色が単体ＬＥＤ表示装置９４を構成するＬＥＤ３７〜３９，４３〜４５の発光色またはそれと同系色であるため、ＬＥＤ３７〜３９，４３〜４５の点灯時および非点灯時の視認形態を明確に差別化でき、スモーク効果も維持しつつＬＥＤ点灯時の発光形態を明確に遊技者に印象付けることが可能になる。
【００５８】
特に、本実施の形態では、単体ＬＥＤ表示装置９４のスモークシート５６の色が、光学シート５８（Ｓ）の前方に配設されるスモークシート５９（５７）の色と異なるため、本実施の形態のようにセグメント型ＬＥＤ表示装置９０，９２と単体ＬＥＤ表示装置９４とが並んで配置される場合に、表示機能に応じた発光形態に特異性をもたせて表示装置９０，９２，９４を差別化でき、また、それぞれの表示装置９０，９２，９４に適したスモーク効果を実現できる。
【符号の説明】
【００５９】
３７〜３９，４３〜４５  ＬＥＤ
５０  ＬＥＤ
５５  セグメント
５６，５７，５９  スモークシート（光透過抑制材）
５８  光学シート
９０  ７セグメント型ＬＥＤアセンブリ（セグメント型ＬＥＤ表示装置）
９２  ７セグメント型ＬＥＤユニット（セグメント型ＬＥＤ表示装置）
９４  単体ＬＥＤ表示装置
Ｓ  光学シート
Ｘ  スロットマシン（遊技機）
【図１】
2020000773.tif 000003
【図２】
2020000773.tif 000004
【図３】
2020000773.tif 000005
【図４】
2020000773.tif 000006
【図５】
2020000773.tif 000007
【図６】
2020000773.tif 000008